(57)【要約】  本開示は、表示パネルに用いられる放熱装置及び表示装置を提供し、表示技術分野に関する。該放熱装置は、第１の熱伝導層と第２の熱伝導層とを含んでもよい。第１の熱伝導層は、表示パネルの表示面から離れた側に位置し、該第１の熱伝導層にスルーホールが設けられている。第２の熱伝導層は、第１の熱伝導層の表示パネルから離れた側に位置し、スルーホールを貫通して該表示パネルに接続されている。該第１の熱伝導層の表示面に平行な方向の熱伝導率が、該第１の熱伝導層の表示面に垂直な方向の熱伝導率よりも大きい。該第２の熱伝導層の表示面に垂直な方向の熱伝導率が、該第１の熱伝導層の表示面に垂直な方向の熱伝導率よりも大きい。本開示の放熱装置によれば、表示パネルの放熱効果を高めることができる。【選択図】図１
2021516863.tif 000002
【特許請求の範囲】
【請求項１】
表示パネルに用いられる放熱装置であって、
前記表示パネルの表示面から離れた側に位置し、スルーホールが設けられた第１の熱伝導層と、
前記第１の熱伝導層の前記表示パネルから離れた側に位置し、一部が前記スルーホールを貫通して前記表示パネルに接続された第２の熱伝導層と、を含み、
前記第１の熱伝導層の前記表示面に平行な方向の熱伝導率が、前記第１の熱伝導層の前記表示面に垂直な方向の熱伝導率よりも大きく、前記第２の熱伝導層の前記表示面に垂直な方向の熱伝導率が、前記第１の熱伝導層の前記表示面に垂直な方向の熱伝導率よりも大きい放熱装置。
【請求項２】
前記第１の熱伝導層の前記表示面に平行な方向の熱伝導率が、前記第２の熱伝導層の前記表示面に平行な方向の熱伝導率よりも大きい請求項１に記載の放熱装置。
【請求項３】
前記第１の熱伝導層は、熱伝導性黒鉛層を含み、
前記第２の熱伝導層は、金属層を含む請求項２に記載の放熱装置。
【請求項４】
前記第１の熱伝導層の前記表示パネルへの正射影が、前記第２の熱伝導層の前記表示パネルへの正射影の内部に位置し、前記第２の熱伝導層の縁が、表示パネルを保護するためのカバープレートに接続されている請求項１に記載の放熱装置。
【請求項５】
前記カバープレートの側壁部に設けられ、前記第２の熱伝導層に接続された第３の熱伝導層をさらに含む請求項４に記載の放熱装置。
【請求項６】
前記第３の熱伝導層は、前記カバープレートの側壁部によって囲まれた領域の内部に位置し、前記カバープレートの側壁部に周設される請求項５に記載の放熱装置。
【請求項７】
前記第３の熱伝導層の前記表示パネルの基板への投影が、前記表示パネルの表示領域の前記基板への投影と重ならない請求項５に記載の放熱装置。
【請求項８】
前記第３の熱伝導層は、金属めっき層、金属熱伝導性パッチ、熱伝導性セラミックパッチ、および熱伝導性黒鉛層のうちの少なくとも１つを含む請求項５に記載の放熱装置。
【請求項９】
表示パネルに用いられる放熱装置であって、
前記表示パネルの表示面から離れた側に位置し、第１の接続層を介して前記表示パネルに接続され、スルーホールが設けられた第１の熱伝導層と、
前記第１の熱伝導層の前記表示パネルから離れた側に位置し、第２の接続層を介して前記第１の熱伝導層に接続され、一部が前記スルーホールを貫通して前記表示パネルに接続された第２の熱伝導層と、を含み、
前記第１の熱伝導層の前記表示面に平行な方向の熱伝導率が、前記第１の熱伝導層の前記表示面に垂直な方向の熱伝導率よりも大きく、前記第２の熱伝導層の前記表示面に垂直な方向の熱伝導率が、前記第１の熱伝導層の前記表示面に垂直な方向の熱伝導率よりも大きい放熱装置。
【請求項１０】
前記第１の熱伝導層の前記表示面に平行な方向の熱伝導率が、前記第２の熱伝導層の前記表示面に平行な方向の熱伝導率よりも大きい請求項９に記載の放熱装置。
【請求項１１】
前記第１の熱伝導層は、熱伝導性黒鉛層を含み、
前記第２の熱伝導層は、金属層を含む請求項１０に記載の放熱装置。
【請求項１２】
前記第１の接続層および前記第２の接続層の両方が、熱伝導性接続層である請求項９に記載の放熱装置。
【請求項１３】
前記第１の接続層および第２の接続層の両方が、接着層である請求項９から請求項１２のいずれか１項に記載の放熱装置。
【請求項１４】
前記第１の熱伝導層の前記表示パネルへの正射影は、前記第２の熱伝導層の前記表示パネルへの正射影の内部に位置し、前記第２の熱伝導層の縁は、前記第２の接続層の一部を介して表示パネルを保護するためのカバープレートに接続されている請求項９に記載の放熱装置。
【請求項１５】
前記カバープレートの側壁部に設けられ、前記第２の接続層を介して前記第２の熱伝導層に接続された第３の熱伝導層をさらに含む請求項１４に記載の放熱装置。
【請求項１６】
前記第３の熱伝導層は、前記カバープレートの側壁部によって囲まれた領域の内部に位置し、前記カバープレートの側壁部に周設される請求項１５に記載の放熱装置。
【請求項１７】
前記第３の熱伝導層の前記表示パネルの基板への投影が、前記表示パネルの表示領域の前記基板への投影と重ならない請求項１５に記載の放熱装置。
【請求項１８】
前記第３の熱伝導層は、金属めっき層、金属熱伝導性パッチ、熱伝導性セラミックパッチ、および熱伝導性黒鉛層のうちの少なくとも１つを含む請求項１５に記載の放熱装置。
【請求項１９】
前記第２の熱伝導層の一部は、前記スルーホールを貫通し、前記第１の接続層および前記第２の接続層を介して前記表示パネルに接続されている請求項９に記載の放熱装置。
【請求項２０】
前記第１の接続層には、前記スルーホールに対応する第１の開口が設けられ、前記第２の熱伝導層の一部が、前記スルーホールおよび前記第１の開口を貫通し、前記第２の接続層を介して前記表示パネルに接続されている請求項９に記載の放熱装置。
【請求項２１】
前記第２の接続層には、前記スルーホールに対応する第２の開口が設けられ、前記第２の熱伝導層の一部が、前記スルーホールおよび前記第２の開口を貫通し、前記第１の接続層を介して前記表示パネルに接続されている請求項９に記載の放熱装置。
【請求項２２】
表示パネルに用いられる放熱装置であって、
前記表示パネルの表示面から離れた側に位置する第１の熱伝導層と、
前記第１の熱伝導層の前記表示パネルから離れた側に位置する第２の熱伝導層と、を含み、
前記第１の熱伝導層の前記表示面に平行な方向の熱伝導率が、前記第１の熱伝導層の前記表示面に垂直な方向の熱伝導率よりも大きく、前記第２の熱伝導層の前記表示面に垂直な方向の熱伝導率が、前記第１の熱伝導層の前記表示面に垂直な方向の熱伝導率よりも大きい放熱装置。
【請求項２３】
前記第１の熱伝導層の前記表示面に平行な方向の熱伝導率が、前記第２の熱伝導層の前記表示面に平行な方向の熱伝導率よりも大きい請求項２２に記載の放熱装置。
【請求項２４】
前記第１の熱伝導層は第１の接続層を介して前記表示パネルに接続されており、
前記第２の熱伝導層は第２の接続層を介して前記第１の熱伝導層に接続されている請求項２２に記載の放熱装置。
【請求項２５】
表示パネルと、請求項１から請求項２４のいずれか１項に記載の前記表示パネルに用いられる放熱装置と、を含む表示装置。
【請求項２６】
放熱装置の製造方法であって、
スルーホールが設けられた第１の熱伝導層を表示パネルの表示面から離れた側に設けることと、
一部が前記スルーホールを貫通して前記表示パネルに接続された第２の熱伝導層を前記第１の熱伝導層の前記表示パネルから離れた側に設けることと、を含み、
前記第１の熱伝導層の前記表示面に平行な方向の熱伝導率が、前記第１の熱伝導層の前記表示面に垂直な方向の熱伝導率よりも大きく、前記第２の熱伝導層の前記表示面に垂直な方向の熱伝導率が、前記第１の熱伝導層の前記表示面に垂直な方向の熱伝導率よりも大きい製造方法。
【請求項２７】
第１の接続層を利用して前記第１の熱伝導層を前記表示パネルの表示面から離れた側に接続し、
第２の接続層を利用して前記第２の熱伝導層を前記第１の熱伝導層の前記表示パネルから離れた側に接続する請求項２６に記載の製造方法。
【請求項２８】
第２の熱伝導層を前記第１の熱伝導層の前記表示パネルから離れた側に設ける前に、前記表示パネルを保護するためのカバープレートの側壁部に第３の熱伝導層を設けることをさらに含む請求項２６に記載の製造方法。
【請求項２９】
前記第３の熱伝導層の前記表示パネルの基板への投影が、前記表示パネルの表示領域の前記基板への投影と重ならない請求項２８に記載の製造方法。
【発明の詳細な説明】
【技術分野】
【０００１】
本開示は、表示技術分野に関し、特に表示パネルに用いられる放熱装置及びその製造方法、表示装置に関する。
【背景技術】
【０００２】
表示パネルは動作中に発熱する。従来、単層の放熱層を用いて表示パネルの放熱を行っている。
【発明の概要】
【課題を解決するための手段】
【０００３】
本開示の実施例の一側面は、表示パネルに用いられる放熱装置であって、前記表示パネルの表示面から離れた側に位置し、スルーホールが設けられた第１の熱伝導層と、前記第１の熱伝導層の前記表示パネルから離れた側に位置し、一部が前記スルーホールを貫通して前記表示パネルに接続された第２の熱伝導層と、を含み、前記第１の熱伝導層の前記表示面に平行な方向の熱伝導率が、前記第１の熱伝導層の前記表示面に垂直な方向の熱伝導率よりも大きく、前記第２の熱伝導層の前記表示面に垂直な方向の熱伝導率が、前記第１の熱伝導層の前記表示面に垂直な方向の熱伝導率よりも大きい放熱装置を提供する。
【０００４】
幾つかの実施例において、前記第１の熱伝導層の前記表示面に平行な方向の熱伝導率が、前記第２の熱伝導層の前記表示面に平行な方向の熱伝導率よりも大きい。
【０００５】
幾つかの実施例において、前記第１の熱伝導層は、熱伝導性黒鉛層を含み、前記第２の熱伝導層は、金属層を含む。
【０００６】
幾つかの実施例において、前記第１の熱伝導層の前記表示パネルへの正射影が、前記第２の熱伝導層の前記表示パネルへの正射影の内部に位置し、前記第２の熱伝導層の縁が、表示パネルを保護するためのカバープレートに接続されている。
【０００７】
幾つかの実施例において、前記放熱装置は、前記カバープレートの側壁部に設けられ、前記第２の熱伝導層に接続された第３の熱伝導層をさらに含む。
【０００８】
幾つかの実施例において、前記第３の熱伝導層は、前記カバープレートの側壁部によって囲まれた領域の内部に位置し、前記カバープレートの側壁部に周設される。
【０００９】
幾つかの実施例において、前記第３の熱伝導層の前記表示パネルの基板への投影が、前記表示パネルの表示領域と重ならない。
【００１０】
幾つかの実施例において、前記第３の熱伝導層は、金属めっき層、金属熱伝導性パッチ、熱伝導性セラミックパッチ、および熱伝導性黒鉛層のうちの少なくとも１つを含む。
【００１１】
本開示の実施例の他の側面は、表示パネルに用いられる放熱装置であって、前記表示パネルの表示面から離れた側に位置し、第１の接続層を介して前記表示パネルに接続され、スルーホールが設けられた第１の熱伝導層と、前記第１の熱伝導層の前記表示パネルから離れた側に位置し、第２の接続層を介して前記第１の熱伝導層に接続され、一部が前記スルーホールを貫通して前記表示パネルに接続された第２の熱伝導層と、を含み、前記第１の熱伝導層の前記表示面に平行な方向の熱伝導率が、前記第１の熱伝導層の前記表示面に垂直な方向の熱伝導率よりも大きく、前記第２の熱伝導層の前記表示面に垂直な方向の熱伝導率が、前記第１の熱伝導層の前記表示面に垂直な方向の熱伝導率よりも大きい放熱装置を提供する。
【００１２】
幾つかの実施例において、前記第１の熱伝導層の前記表示面に平行な方向の熱伝導率が、前記第２の熱伝導層の前記表示面に平行な方向の熱伝導率よりも大きい。
【００１３】
幾つかの実施例において、前記第１の熱伝導層は、熱伝導性黒鉛層を含み、前記第２の熱伝導層は、金属層を含む。
【００１４】
幾つかの実施例において、前記第１の接続層および前記第２の接続層の両方が、熱伝導性接続層である。
【００１５】
幾つかの実施例において、前記第１の接続層および第２の接続層の両方が、接着層である。
【００１６】
幾つかの実施例において、前記第１の熱伝導層の前記表示パネルへの正射影は、前記第２の熱伝導層の前記表示パネルへの正射影の内部に位置し、前記第２の熱伝導層の縁は、前記第２の接続層の一部を介して表示パネルを保護するためのカバープレートに接続されている。
【００１７】
幾つかの実施例において、前記放熱装置は、前記カバープレートの側壁部に設けられ、前記第２の接続層を介して前記第２の熱伝導層に接続された第３の熱伝導層をさらに含む。
【００１８】
幾つかの実施例において、前記第３の熱伝導層は、前記カバープレートの側壁部によって囲まれた領域の内部に位置し、前記カバープレートの側壁部に周設される。
【００１９】
幾つかの実施例において、前記第３の熱伝導層の前記表示パネルの基板への投影が、前記表示パネルの表示領域と重ならない。
【００２０】
幾つかの実施例において、前記第３の熱伝導層は、金属めっき層、金属熱伝導性パッチ、熱伝導性セラミックパッチ、および熱伝導性黒鉛層のうちの少なくとも１つを含む。
【００２１】
幾つかの実施例において、前記第２の熱伝導層の一部は、前記スルーホールを貫通し、前記第１の接続層および前記第２の接続層を介して前記表示パネルに接続されている。
【００２２】
幾つかの実施例において、前記第１の接続層には、前記スルーホールに対応する第１の開口が設けられ、前記第２の熱伝導層の一部は、前記スルーホールおよび前記第１の開口を貫通し、前記第２の接続層を介して前記表示パネルに接続されている。
【００２３】
幾つかの実施例において、前記第２の接続層には、前記スルーホールに対応する第２の開口が設けられ、前記第２の熱伝導層の一部は、前記スルーホールおよび前記第２の開口を貫通し、前記第１の接続層を介して前記表示パネルに接続されている。
【００２４】
本開示の実施例の他の側面は、表示パネルに用いられる放熱装置であって、前記表示パネルの表示面から離れた側に位置する第１の熱伝導層と、前記第１の熱伝導層の前記表示パネルから離れた側面に位置する第２の熱伝導層と、を含み、前記第１の熱伝導層の前記表示面に平行な方向の熱伝導率が、前記第１の熱伝導層の前記表示面に垂直な方向の熱伝導率よりも大きく、前記第２の熱伝導層の前記表示面に垂直な方向の熱伝導率が、前記第１の熱伝導層の前記表示面に垂直な方向の熱伝導率よりも大きい放熱装置を提供する。
【００２５】
幾つかの実施例において、前記第１の熱伝導層の前記表示面に平行な方向の熱伝導率が、前記第２の熱伝導層の前記表示面に平行な方向の熱伝導率よりも大きい。
【００２６】
幾つかの実施例において、前記第１の熱伝導層は第１の接続層を介して前記表示パネルに接続され、前記第２の熱伝導層は第２の接続層を介して前記第１の熱伝導層に接続されている。
【００２７】
本開示の実施例の他の側面は、表示パネルと、上記のような前記表示パネルに用いられる放熱装置とを含む表示装置を提供する。
【００２８】
本開示の実施例の他の側面は、放熱装置の製造方法であって、スルーホールが設けられた第１の熱伝導層を表示パネルの表示面から離れた側に設けることと、一部が前記スルーホールを貫通して前記表示パネルに接続された第２の熱伝導層を前記第１の熱伝導層の前記表示パネルから離れた側に設けることと、を含み、前記第１の熱伝導層の前記表示面に平行な方向の熱伝導率が、前記第１の熱伝導層の前記表示面に垂直な方向の熱伝導率よりも大きく、前記第２の熱伝導層の前記表示面に垂直な方向の熱伝導率が、前記第１の熱伝導層の前記表示面に垂直な方向の熱伝導率よりも大きい製造方法を提供する。
【００２９】
幾つかの実施例において、第１の接続層を利用して前記第１の熱伝導層を前記表示パネルの表示面から離れた側に接続し、第２の接続層を利用して前記第２の熱伝導層を前記第１の熱伝導層の前記表示パネルから離れた側に接続する。
【００３０】
幾つかの実施例において、前記製造方法は、第２の熱伝導層を前記第１の熱伝導層の前記表示パネルから離れた側に設ける前に、前記表示パネルを保護するためのカバープレートの側壁部に第３の熱伝導層を設けることをさらに含む。
【００３１】
幾つかの実施例において、前記第３の熱伝導層の前記表示パネルの基板への投影は、前記表示パネルの表示領域と重ならない。
【００３２】
本開示の他の特徴と利点は、以下の添附図面に基づいて行なわれる本開示の例示的な実施例の詳細な説明により明らかになる。
【図面の簡単な説明】
【００３３】
明細書の一部を構成する添付の図面には本開示の実施例が示されており、明細書とともに本開示の原理を説明するために用いられる。
【００３４】
本開示は、添付図面を参照して以下の詳細な説明によってより明確に理解される。
【００３５】
【図１】本開示の幾つかの実施例に係る表示パネルに用いられる放熱装置を示す概略断面図である。
【図２】本開示の他の幾つかの実施例に係る表示パネルに用いられる放熱装置を示す概略断面図である。
【図３】本開示の他の幾つかの実施例に係る表示パネルに用いられる放熱装置を示す概略断面図である。
【図４Ａ】本開示の他の幾つかの実施例に係る表示パネルに用いられる放熱装置を示す概略断面図である。
【図４Ｂ】本開示の他の幾つかの実施例に係る表示パネルに用いられる放熱装置を示す概略断面図である。
【図４Ｃ】本開示の他の幾つかの実施例に係る表示パネルに用いられる放熱装置を示す概略断面図である。
【図５】本開示の他の幾つかの実施例に係る表示パネルに用いられる放熱装置を示す概略断面図である。
【図６】本開示の他の幾つかの実施例に係る表示パネルに用いられる放熱装置を示す概略断面図である。
【図７】本開示の他の幾つかの実施例に係る表示パネルに用いられる放熱装置を示す上面図である。
【図８】本開示の幾つかの実施例に係る表示パネルに用いられる放熱装置の製造方法を示すフローチャートである。
【図９】図８のステップＳ８０２における本開示の幾つかの実施例に係る構造を示す概略断面図である。
【図１０】図８のステップＳ８０２における本開示の他の幾つかの実施例に係る構造を示す概略断面図である。
【図１１】本開示の他の幾つかの実施例に係る表示パネルに用いられる放熱装置を示す概略断面図である。
【００３６】
なお、図面に示された各部分の寸法は、実際の比例関係で描かれていない。また、同一または類似の部材には、同一または類似の符号が付されている。
【発明を実施するための形態】
【００３７】
以下、本開示の各種の例示的な実施例について図面を参照しながら詳細に説明する。例示的な実施例に対する説明は、単に説明するだけであり、決して本開示及びその適用又は使用に対する如何なる限定として解釈されるべきではない。本開示は、多くの異なる形態で実施されることができ、本明細書に記載の実施例に限定されない。これら実施例は、本開示を徹底的かつ完全にし、そして当業者に本開示の範囲を十分に示すために提供される。なお、特に断らない限り、これら実施例に記載されている部材やステップの相対的配置、材料の成分、数式、数値は、単に例示的なものであり、限定的なものとして解釈されるべきではない。
【００３８】
本開示で使用される「第１」、「第２」及び類似の用語は、いかなる順序、数、又は重要性も示すものではなく、異なる部分を区別するために使用されるだけである。「含む」や「含有する」などの類似の単語は、その単語の前の要素がその単語の後に列挙された要素を含むことを意味し、他の要素も含む可能性を排除するものではない。「上」、「下」、「左」、「右」などは、相対的な位置関係を示すためのものであり、記述された対象の絶対的な位置が変化すると、該相対的な位置関係も相応に変化する可能性がある。
【００３９】
本開示において、特定のデバイスが第１のデバイスと第２のデバイスとの間に位置すると記載される場合、当該特定のデバイスと第１のデバイス又は第２のデバイスとの間には、介在するデバイスは存在しても存在しなくてもよい。特定のデバイスが他のデバイスに接続されていると記載される場合、該特定のデバイスは、介在するデバイスを有することなく前記他のデバイスに直接接続されてもよく、介在するデバイスを有して前記他のデバイスに直接接続されていなくてもよい。
【００４０】
本開示で使用される全ての用語（技術用語又は科学用語を含む）は、特に定義されない限り、本開示が属する分野における当業者によって理解されるものと同じ意味を有する。また、一般辞書などに定義された用語は、関連技術の文脈上有する意味と一致する意味を有すると解釈されるべきであり、明確に定義されない限り、理想化または極端に形式化した意味で解釈されるべきではない。
【００４１】
当業者に知られている技術、方法、および装置については詳細に説明しないかもしれないが、適切な場合、前記技術、方法、および装置は、明細書の一部とみなされるべきである。
【００４２】
本開示の発明者らは、表示画面の明暗の度合いが表示パネル全体で均一ではないため、パネルの表示を制御するための各サブ画素の電子エレメントに流れる電流が異なり、その結果、これら電子エレメントの発熱量が異なることを見出した。これらの熱は、表示パネルの熱集中領域に集中する。熱の集中により、表示パネルの局所の温度の変化が発生し、その結果、電子部品に流れる電流が温度の影響を受けて一定のドリフトが発生し、さらに、該領域に表示歪が発生し、表示効果に影響を与える。
【００４３】
上記に鑑み、本開示の実施例は、表示パネルの放熱効果を高める放熱装置を提供する。以下、本開示の幾つかの実施例に係る放熱装置について、図面を参照しながら詳細に説明する。
【００４４】
図１は、本開示の幾つかの実施例に係る表示パネルに用いられる放熱装置を示す概略断面図である。
【００４５】
図１に示すように、該放熱装置１０は、第１の熱伝導層１３１と第２の熱伝導層１３２とを含んでもよい。
【００４６】
該第１の熱伝導層１３１は、表示パネル１１０の表示面から離れた側に位置している。該第１の熱伝導層１３１には、スルーホール１３１２が設けられている。
【００４７】
例えば、図１に示すように、表示パネル１１０は、基板１１１と封止層１１２を含んでもよい。該第１の熱伝導層１３１は、基板１１１の表示面から離れた側に位置し、例えば、基板１１１の下面に設けられてもよい。なお、図１に示す表示パネルの構成は、例示的なものである。当業者であれば理解できるように、表示パネルは、発光層、集積回路層などの他の構造層をさらに含んでもよい。従って、本開示の実施例に係る表示パネルの構成は、これに限定されなく、他の図面においても同様である。なお、ここでの表示面とは、表示パネルの出光面を意味する。
【００４８】
該第２の熱伝導層１３２は、該第１の熱伝導層１３１の表示パネル１１０から離れた側に位置している。該第２の熱伝導層１３２の一部は、スルーホール１３１２を貫通して表示パネル１１０に接続され、例えば、表示パネル１１０の基板１１１に接続されている。
【００４９】
該第１の熱伝導層１３１の表示面に平行な方向の熱伝導率（熱伝導係数ともいう）は、該第１の熱伝導層１３１の該表示面に垂直な方向の熱伝導率よりも大きい。該第２の熱伝導層１３２の該表示面に垂直な方向の熱伝導率が、該第１の熱伝導層１３１の該表示面に垂直な方向の熱伝導率よりも大きい。
【００５０】
上記実施例に係る放熱装置において、表示パネルの表示面から離れた側に第１の熱伝導層が設けられている。該第１の熱伝導層には、スルーホールが設けられている。該第１の熱伝導層の表示パネルから離れた側に第２の熱伝導層が設けられている。該第２の熱伝導層の一部は、スルーホールを貫通して表示パネルに接続されている。該第１の熱伝導層の表示面に平行な方向の熱伝導率が、該第１の熱伝導層の該表示面に垂直な方向の熱伝導率よりも大きい。これにより、表示パネルの熱を表示面に平行な方向において比較的均一にすることができ、一定の領域に熱がこもることを防止し、放熱効果を高める上で有利となる。該第２の熱伝導層の該表示面に垂直な方向の熱伝導率が、該第１の熱伝導層の該表示面に垂直な方向の熱伝導率よりも大きい。これにより、表示パネルのこれら均一に分布した熱を表示面に垂直な方向に沿って第２の熱伝導層を介して逃すことができ、これにより、放熱効果を高めることができる。
【００５１】
幾つかの実施例において、該第１の熱伝導層１３１の表示面に平行な方向の熱伝導率が、該第２の熱伝導層１３２の該表示面に平行な方向の熱伝導率よりも大きい。これにより、表示パネルの熱を表示面に平行な方向において比較的均一にすることができ、放熱効果を高める上で有利となる。
【００５２】
幾つかの実施例において、第１の熱伝導層１３１は、熱伝導性黒鉛層を含んでもよい。例えば、該第１の熱伝導層１３１は、グラフェン層を含んでもよい。幾つかの実施例において、該第２の熱伝導層１３２は、金属層を含んでもよい。例えば、該第２の熱伝導層は、金属めっき層及び金属熱伝導性パッチのうち少なくとも１つを含んでもよい。例えば、該第２の熱伝導層として、銅箔やステンレス鋼板などであり得る。
【００５３】
なお、図１には、表示パネルの表示面から離れた側に２層の熱伝導層が設けられていることが示されているが、本開示の実施例の範囲はこれに限定されない。例えば、表示パネルの表示面から離れた側に、３層や４層などさらに多くの熱伝導層を設けてもよい。例えば、これらのさらに多くの熱伝導層のうち、表示パネルに近い熱伝導層の表示面に平行な方向の熱伝導性（例えば熱伝導率）を、表示パネルから離れた熱伝導層よりも高くすることができ、また、表示パネルから離れた熱伝導層の表示面に垂直な方向の熱伝導性を、表示パネルに近い熱伝導層よりも高くすることができ、放熱効果を高める上で有利となる。
【００５４】
図２は本開示の他の幾つかの実施例に係る表示パネルに用いられる放熱装置を示す概略断面図である。
【００５５】
図１に示す構造と似たように、図２に示す放熱装置２０は、第１の熱伝導層１３１と第２の熱伝導層１３２とを含む。該第１の熱伝導層１３１は、表示パネル１１０に接続されている。該第１の熱伝導層１３１には、スルーホール１３１２が設けられている。第２の熱伝導層１３２は、該第１の熱伝導層１３１に接続されている。該第２の熱伝導層１３２の一部は、スルーホール１３１２を貫通して表示パネル１１０の基板１１１に接続されている。
【００５６】
幾つかの実施例において、該第１の熱伝導層１３１の表示パネル１１０への正射影は、該第２の熱伝導層１３２の該表示パネル１１０への正射影の内部にある。すなわち、該第２の熱伝導層１３２の該表示パネル１１０への正射影は、該第１の熱伝導層１３１の該表示パネル１１０への正射影を完全に覆う。言い換えると、図２における破線ボックスで示されるように、該第２の熱伝導層１３２の縁は、第１の熱伝導層１３１の縁を超える（また、図７を参照することもできる）。言い換えれば、第２の熱伝導層１３２の縁は、第１の熱伝導層１３１の縁を覆う。
【００５７】
また、図２にはカバープレート２４０がさらに示されている。該カバープレート２４０は、表示パネル１１０を保護するために用いられることができる。図２に示すように、該カバープレート２４０は、表示パネル１１０を覆う本体部２４１と、該本体部に接続された側壁部２４２とを含んでもよい。幾つかの実施例において、図２に示すように、該第２の熱伝導層１３２の縁は該カバープレート２４０に接続されている。図２に示すように、該第２の熱伝導層１３２は、カバープレート２４０の側壁部の側面に沿って延びる部分を含んでもよく、この延びる部分はカバープレート２４０に接続されている。第２の熱伝導層をカバープレートに接続することにより、表示パネルからのカバープレートの側壁部に集中した熱を逃すことができ、放熱効果を高めることができる。
【００５８】
図３は、本開示の他の幾つかの実施例に係る表示パネルに用いられる放熱装置を示す概略断面図である。図３に示す構成は、図２に示す構成と殆ど類似する。ここで、図３に示す構成のうち、図２に示す構成と同一または類似の構成については説明を省略する。
【００５９】
幾つかの実施例において、図３に示すように、放熱装置３０は、第３の熱伝導層３５０をさらに含んでもよい。該第３の熱伝導層３５０は、カバープレート２４０の側壁部２４２に設けられてもよい。該第３の熱伝導層３５０は、該カバープレート２４０の縁に近い部分にある。該第３の熱伝導層３５０は、第２の熱伝導層１３２に接続されてもよい。例えば、カバープレートの側壁部の側面の面積は、表示パネルの縁の側面の面積よりも大きい。カバープレートの側壁部に第３の熱伝導層が設けられ、カバープレートの外部に熱を放射する放射面積を増大させることができ、これにより、良好な放熱効果を達成することができる。
【００６０】
幾つかの実施例において、第３の熱伝導層３５０は、カバープレート２４０の側壁部２４２によって囲まれた領域の内部に位置し、該カバープレート２４０の側壁部２４２に周設される。これにより、放熱効果を更に向上させることができる。
【００６１】
幾つかの実施例において、該第３の熱伝導層３５０は、側壁部２４２と本体部２４１の接続部分（図示せず）を超えるように延びることにより、第３の熱伝導層の一部を表示パネル１１０の上面に位置させてもよい。これにより、放熱効果をさらに向上させることができる。
【００６２】
幾つかの実施例において、図３に示すように、該表示パネル１１０は表示領域１１０１を含む。該第３の熱伝導層３５０の表示パネル１１０の基板１１１への投影は、該表示パネルの表示領域１１０１の該基板１１１への投影（例えば、正射影）と重ならない。
【００６３】
幾つかの実施例において、該第３の熱伝導層３５０は、金属めっき層（例えば、銅など）、金属熱伝導性パッチ、熱伝導性セラミックパッチ、および熱伝導性グラファイト層（例えば、グラフェン層）のうちの少なくとも１つを含んでもよい。
【００６４】
図４Ａは本開示の他の幾つかの実施例に係る表示パネルに用いられる放熱装置を示す概略断面図である。
【００６５】
図４Ａに示すように、該放熱装置４０は、第１の熱伝導層１３１と第２の熱伝導層１３２とを含んでもよい。
【００６６】
該第１の熱伝導層１３１は、表示パネル１１０の表示面から離れた側に位置し、第１の接続層１２１を介して該表示パネル１１０に接続されている。該第１の熱伝導層１３１には、スルーホール１３１２が設けられている。
【００６７】
該第２の熱伝導層１３２は、該第１の熱伝導層１３１の表示パネル１１０から離れた側に設けられている。該第２の熱伝導層１３２は、第２の接続層１２２を介して該第１の熱伝導層１３１に接続されている。該第２の熱伝導層１３２の一部は、スルーホール１３１２を介して表示パネル１１０に接続され、例えば、表示パネル１１０の基板１１１に接続されている。該第１の熱伝導層１３１の表示面に平行な方向の熱伝導率が、該第１の熱伝導層１３１の該表示面に垂直な方向の熱伝導率よりも大きい。該第２の熱伝導層１３２の該表示面に垂直な方向の熱伝導率が、該第１の熱伝導層１３１の該表示面に垂直な方向の熱伝導率よりも大きい。
【００６８】
上記実施例に係る放熱装置において、第１の接続層を利用して第１の熱伝導層を表示パネルの表示面から離れた側に接続する。該第１の熱伝導層には、スルーホールが設けられている。第２の接続層を利用して、第２の熱伝導層を該第１の熱伝導層の表示パネルから離れた側に接続する。該第２の熱伝導層の一部は、スルーホールを貫通して表示パネルに接続されている。該第１の熱伝導層の表示面に平行な方向の熱伝導率が、該第１の熱伝導層の該表示面に垂直な方向の熱伝導率よりも大きい。これにより、表示パネルの熱を表示面に平行な方向において比較的均一にすることができ、特定の領域に熱が集中するのを防ぎ、放熱効果を高める上で有利となる。該第２の熱伝導層の該表示面に垂直な方向の熱伝導率が、該第１の熱伝導層の該表示面に垂直な方向の熱伝導率よりも大きい。これにより、表示パネルのこれらの均一に分布した熱を、表示面に垂直な方向に沿って第２の熱伝導層を介して逃すことができ、これにより、放熱効果を向上させる。該放熱装置によれば、表示パネルからの熱を異なる方向にも比較的容易に放熱し、放熱効果を向上させることができる。
【００６９】
表示パネルは、動作中に発生する熱が領域によって異なる。また、異なる領域に異なる熱が集中することで、パネルに異なる温度領域が形成され、画像の表示効果に影響を与える。従来は、単層の放熱層を用いて表示パネルを放熱しているが、単層の放熱層では放熱効果に限界がある。本開示の実施例において、表示パネルの下基板の表示面から離れた面に、異なる層の熱伝導層が設けられている。異なる熱伝導層の材料は、異なる熱伝導方向における熱伝導性能が異なるため、異なる層の熱伝導層を設けることで、異なる方向の熱伝導効果に配慮を加えることができる。これにより、表示パネルの放熱効果を高めることができる。
【００７０】
幾つかの実施例において、該第１の熱伝導層１３１の表示面に平行な方向の熱伝導率が、該第２の熱伝導層１３２の該表示面に平行な方向の熱伝導率よりも大きい。該実施例において、第１の熱伝導層の表示面に平行な方向における熱伝導性は、第２の熱伝導層よりも優れている。これにより、表示パネルの熱を表示面に平行な方向に比較的均一にし、熱が一定の領域に集中するのを防ぐことができる。第２の熱伝導層の表示面に垂直な方向の熱伝導性は第１の熱伝導層よりも優れているため、表示パネルのこれらの均一に分布した熱を、表示面に垂直な方向に沿って第２の熱伝導層を介して逃すことができ、これにより、放熱効果を向上させる。
【００７１】
幾つかの実施例において、第１の熱伝導層１３１は、熱伝導性グラファイト層を含んでもよい。例えば、該第１の熱伝導層１３１はグラフェン層を含んでもよい。幾つかの実施例において、該第２の熱伝導層１３２は金属層を含んでもよい。例えば、該第２の熱伝導層は、金属めっき層および金属熱伝導性パッチのうちの少なくとも１つを含んでもよい。例えば、該第２の熱伝導層は、銅箔やステンレス鋼板などであり得る。
【００７２】
幾つかの実施例において、第１の接続層１２１および第２の接続層１２２は両方とも熱伝導性接続層であってもよい。例えば、該第１の接続層１２１および該第２の接続層１２２は両方とも接着層であってもよい。一般的には、第１の接続層または第２の接続層としての接着層は比較的薄い（例えば、数マイクロメートルから十数マイクロメートル）ため、容易に熱を伝達させることができる。
【００７３】
幾つかの実施例において、図４Ａに示すように、第２の熱伝導層１３２の一部は、スルーホール１３１２を貫通し、第１の接続層１２１および第２の接続層１２２を介して表示パネル１１０に接続されている。例えば、図４Ａに示すように、第２の熱伝導層１３２は、スルーホール１３１２を貫通する突出部を含んでもよい。スルーホール１３１２において、該突出部は、第１の接続層１２１および第２の接続層１２２を介して表示パネル１１０の基板１１１に接続されてもよい。第２の熱伝導層を表示パネルに接続することにより、表示パネルからの熱を比較的容易に第２の熱伝導層に沿って逃し、放熱効果を向上させることができる。
【００７４】
図４Ｂは本開示の他の実施例に係る表示パネルに用いられる放熱装置を示す概略断面図である。
【００７５】
図４Ｂに示す放熱装置４０’の構造は、図４Ａに示す放熱装置４０の構造と殆ど類似する。図４Ａに示す放熱装置４０の構造と比較して、図４Ｂに示す放熱装置４０’の構造は、第１の接続層１２１にスルーホール１３１２に対応する第１の開口１２１２が設けられている点で相違する。例えば、第１の開口１２１２は、対応するスルーホール１３１２と位置合わせされる。第２の熱伝導層１３２の一部は、該スルーホール１３１２および該第１の開口１２１２を貫通して、第２の接続層１２２を介して表示パネル１１０に接続されている。例えば、図４Ｂに示すように、第２の熱伝導層１３２は、スルーホール１３１２と第１の開口１２１２とを貫通する突出部を含んでもよい。該突出部は、第２の接続層１２２を介して表示パネル１１０の基板１１１に接続されてもよい。第２の熱伝導層を表示パネルに接続することにより、表示パネルからの熱を比較的容易に第２の熱伝導層に沿って逃し、放熱効果を向上させることができる。
【００７６】
図４Ｃは本開示の他の幾つかの実施例に係る表示パネルに用いられる放熱装置を示す概略断面図である。
【００７７】
図４Ｃに示す放熱装置４０”の構造は、図４Ａに示す放熱装置４０の構造と殆ど類似する。図４Ａに示す放熱装置４０の構造と比較して、図４Ｃに示す放熱装置４０”の構造は、第２の接続層１２２にスルーホール１３１２に対応する第２の開口１２２２が設けられている点で相違する。例えば、第２の開口１２２２は、対応するスルーホール１３１２と位置合わせされる。第２の熱伝導層１３２の一部は、該スルーホール１３１２および該第２の開口１２２２を貫通して、第１の接続層１２１を介して表示パネル１１０に接続されている。例えば、図４Ｃに示すように、第２の熱伝導層１３２は、スルーホール１３１２と第２の開口１２２２とを貫通する突出部を含んでもよい。該突出部は、第１の接続層１２１を介して表示パネル１１０の基板１１１に接続されてもよい。第２の熱伝導層を表示パネルに接続することにより、表示パネルからの熱を比較的容易に第２の熱伝導層に沿って逃し、放熱効果を向上させることができる。
【００７８】
図５は本開示の他の幾つかの実施例に係る表示パネルに用いられる放熱装置を示す概略断面図である。
【００７９】
図４Ａに示す構造と似たように、図５に示す放熱装置５０は、第１の熱伝導層１３１と第２の熱伝導層１３２とを含む。該第１の熱伝導層１３１は、第１の接続層１２１を介して表示パネル１１０に接続されている。該第１の熱伝導層１３１には、スルーホール１３１２が設けられている。第２の熱伝導層１３２は、第２の接続層１２２を介して該第１の熱伝導層１３１に接続されている。該第２の熱伝導層１３２の一部は、スルーホール１３１２を介して表示パネル１１０の基板１１１に接続されている。
【００８０】
幾つかの実施例において、該第１の熱伝導層１３１の表示パネルへの正射影は、該第２の熱伝導層１３２の該表示パネルへの正射影の内部に位置する。言い換えれば、図５の破線ボックスで示されるように、該第２の熱伝導層１３２の縁は、第１の熱伝導層１３１の縁を超える（また、図７を参照することもできる）。言い換えれば、第２の熱伝導層の縁は、非接触で第１の熱伝導層の縁を覆っている。
【００８１】
さらに、図５にはカバープレート２４０も示されている。幾つかの実施例において、図５に示すように、該第２の熱伝導層１３２の縁は、第２の接続層１２２の一部を介して表示パネル１１０を保護するためのカバープレート２４０に接続されている。図５に示すように、該第２の熱伝導層１３２は、カバープレート２４０の側壁部２４２の側面に沿って延びる部分を含んでもよい。該延びる部分は、第２の接続層１２２の一部を介してカバープレート２４０に接続されている。第２の熱伝導層をカバープレートに接続することにより、表示パネルのカバープレートの側壁部に集中した熱を逃し、放熱効果を向上させることができる。
【００８２】
幾つかの実施例において、図５に示すように、第１の接続層１２１の縁で、第２の接続層１２２が第１の接続層１２１に接続されている。第２の接続層１２２と第１の接続層１２１とを接続することにより、表示パネルの熱をより均一に逃し、放熱効果を向上させることができ、また、第１の熱伝導層と第２の熱伝導層との接続をより強固にすることができる。
【００８３】
図６は、本開示の他の幾つかの実施例に係る表示パネルに用いられる放熱装置を示す概略断面図である。図６に示される構造は、図５に示される構造と殆ど類似する。ここで、図６に示す構造のうち、図５に示す構造と同一または類似のものについては説明を省略する。
【００８４】
幾つかの実施例において、図６に示すように、放熱装置６０は、第３の熱伝導層３５０をさらに含んでもよい。該第３の熱伝導層３５０は、カバープレート２４０の側壁部２４２に設けられてもよい。該第３の熱伝導層３５０は、該カバープレート２４０の縁に近い部分にある。該第３の熱伝導層３５０は、第２の接続層１２２を介して第２の熱伝導層１３２に接続されてもよい。例えば、カバープレートの側壁部の側面の面積は、表示パネルの縁の側面の面積よりも大きい。カバープレートの側壁部に第３の熱伝導層が設けられ、カバープレートの外部に熱を放射する放射面積を増大させることができ、これにより、良好な放熱効果を達成することができる。
【００８５】
幾つかの実施例において、第３の熱伝導層３５０は、カバープレート２４０の側壁部２４２によって囲まれた領域の内部に位置し、該カバープレート２４０の側壁部に周設される。これにより、放熱効果を向上させることができる。
【００８６】
幾つかの実施例において、該第３の熱伝導層３５０は、側壁部２４２と本体部２４１との接続部分（図示せず）を超えるように延びることにより、第３の熱伝導層の一部を表示パネル１１０の上面に位置させてもよい。これにより、放熱効果をさらに向上させることができる。
【００８７】
幾つかの実施例において、図６に示すように、該第３の熱伝導層３５０の表示パネル１１０の基板１１１への投影が、該表示パネルの表示領域１１０１の該基板１１１への投影と重ならない。
【００８８】
幾つかの実施例において、該第３の熱伝導層３５０は、金属めっき層（例えば、銅など）、金属熱伝導性パッチ、熱伝導性セラミックパッチ、および熱伝導性グラファイト層（例えば、グラフェン層）のうちの少なくとも１つを含んでもよい。
【００８９】
図７は、本開示の他の幾つかの実施例に係る表示パネルに用いられる放熱装置を示す上面図である。図７に示すように、第２の熱伝導層１３２の縁は、第１の熱伝導層１３１の縁を超える。言い換えれば、該第１の熱伝導層１３１の表示パネル１１０への正射影が、該第２の熱伝導層１３２の該表示パネル１１０への正射影の内部に位置する。図７に示すように、該第１の熱伝導層１３１には、複数のスルーホール１３１２が設けられており、例えば、スルーホールアレイとすることができる。第１の熱伝導層に比較的多くのスルーホールを設けることにより、第２の熱伝導層を表示パネルと十分に接触させることができ、これは表示パネルの放熱により一層有利となる。
【００９０】
本開示の幾つかの実施例によれば、表示装置がさらに提供され、該表示装置は、表示パネルと前記したような該表示パネルに用いられる放熱装置（例えば、図１、図２、図３、図４Ａ、図４Ｂ、図４Ｃ、図５または図６に示す放熱装置）を含んでもよい。該放熱装置は、表示パネルの表示面から離れた側に設けられてもよい。該表示装置は、電子ペーパー、携帯電話、タブレット、テレビ、ディスプレイ、ノートブックコンピューター、デジタルフォトフレーム、ナビゲーターなど表示機能を有する任意の製品または部品とすることができます。
【００９１】
図８は本開示の幾つかの実施例に係る表示パネルに用いられる放熱装置の製造方法を示すフローチャートである。
【００９２】
図８に示すように、ステップＳ８０２において、第１の熱伝導層を表示パネルの表示面から離れた側に設ける。該第１の熱伝導層にはスルーホールが設けられている。
【００９３】
例えば、図９は、図８のステップＳ８０２における本開示の幾つかの実施例に係る構造を示す概略断面図である。例えば、図９に示すように、堆積などのプロセスにより、表示パネル１１０の表示面から離れた側に第１の熱伝導層１３１を形成してもよい。次に、エッチングなどのプロセスにより、該第１の熱伝導層１３１にスルーホール１３１２を形成する。
【００９４】
また、例えば、図１０は、図８のステップＳ８０２における本開示の他の幾つかの実施例に係る構造を示す概略断面図である。例えば、図１０に示すように、第１の接続層１２１を利用して、第１の熱伝導層１３１を表示パネル１１０の表示面から離れた側に接続する。例えば、第１の熱伝導層１３１を表示パネルの基板１１１に接続してもよい。該第１の熱伝導層１３１にはスルーホール１３１２が設けられている。
【００９５】
例えば、まず、エッチングやダイシングなどのプロセスにより、第１の熱伝導層１３１にスルーホール１３１２を形成し、そして、第１の接続層１２１を利用して、スルーホールが形成された第１の熱伝導層１３１を表示パネル１１０の表示面１１０から離れた側に接続してもよい。これにより、図１０に示される構造を形成する。
【００９６】
また、例えば、まず、第１の接続層１２１を利用して第１の熱伝導層１３１を表示パネル１１０の表示面から離れた側に接続し、そして、エッチングなどのプロセスにより、第１の熱伝導層１３１にスルーホール１３１２を形成してもよい。これにより、図１０に示される構造を形成する。
【００９７】
図８に戻り、ステップＳ８０４において、第２の熱伝導層を、第１の熱伝導層の表示パネルから離れた側に設ける。該第２の熱伝導層の一部は、スルーホールを貫通して表示パネルに接続されている。
【００９８】
例えば、図１は、図８のステップＳ８０４における本開示の幾つかの実施例に係る構造を示す概略断面図である。例えば、図１に示すように、堆積などのプロセスにより、第１の熱伝導層１３１の表示パネル１１０から離れた側に第２の熱伝導層１３２を形成する。該第２の熱伝導層１３２の一部は、スルーホール１３１２を貫通して表示パネル１１０に接続されている。
【００９９】
また、例えば、図４Ａは、図８のステップＳ８０４における本開示の他の幾つかの実施例に係る構造を示す概略断面図である。図４Ａに示すように、第２の接続層１２２を利用して、第２の熱伝導層１３２を第１の熱伝導層１３１の表示パネル１１０から離れた側に接続する。該第２の熱伝導層１３２の一部は、スルーホール１３１２を貫通して表示パネル１１０に接続されている。
【０１００】
第１の熱伝導層１３１の表示面に平行な方向の熱伝導率が、該第１の熱伝導層１３１の該表示面に垂直な方向の熱伝導率よりも大きい。該第２の熱伝導層１３２の該表示面に垂直な方向の熱伝導率が、該第１の熱伝導層１３１の該表示面に垂直な方向の熱伝導率よりも大きい。
【０１０１】
上記実施例に係る製造方法において、第１の熱伝導層を、表示パネルの表示面から離れた側に設ける。該第１の熱伝導層にはスルーホールが設けられている。この方法において、さらに、第２の熱伝導層を第１の熱伝導層の表示パネルから離れた側に設ける。該第２の熱伝導層の一部は、スルーホールを貫通して表示パネルに接続されている。上記の製造方法により、本開示の幾つかの実施例に係る表示パネルに用いられる放熱装置が形成される。該放熱装置において、該第１の熱伝導層の表示面に平行な方向の熱伝導率が、該第１の熱伝導層の該表示面に垂直な方向の熱伝導率よりも大きい。これにより、表示パネルの熱を表示面に平行な方向で比較的均一にし、特定の領域に熱が集中するのを防ぎ、放熱効果を高める上で有利となる。さらに、第２の熱伝導層の該表示面に垂直な方向の熱伝導率が、該第１の熱伝導層の該表示面に垂直な方向の熱伝導率よりも大きい。これにより、表示パネルのこれらの均一に分布した熱を、表示面に垂直な方向に沿って第２の熱伝導層を介して逃すことができ、これにより、放熱効果を向上させることができる。
【０１０２】
幾つかの実施例において、ステップＳ８０４の前に、前記製造方法は、表示パネルを保護するためのカバープレートの側壁部に第３の熱伝導層を設けることをさらに含んでもよい。例えば、堆積およびエッチングなどのプロセスにより、カバープレートの側壁部に第３の熱伝導層を形成してもよい。例えば、第２の接続層を利用して、第３の熱伝導層を第２の熱伝導層に接続してもよい。幾つかの実施例において、カバープレートの側壁部によって囲まれた領域の内部に第３の熱伝導層を該カバープレートの側壁部に周設してもよい。例えば、該第３の熱伝導層の表示パネルの基板への投影が、該表示パネルの表示領域の該基板への投影と重ならない。カバープレートの側壁部に第３の熱伝導層を設けることにより、放熱効果を向上させることができる。
【０１０３】
上記の放熱装置において、第１の熱伝導層にスルーホールが設けられている。他の幾つかの実施例において、第１の熱伝導層にスルーホールを設けなくてもよい。以下、本開示の他の幾つかの実施例に係る放熱装置について図１１を参照しながら説明する。
【０１０４】
図１１は本開示の他の幾つかの実施例に係る表示パネルに用いられる放熱装置を示す概略断面図である。
【０１０５】
図１１に示すように、該放熱装置は、第１の熱伝導層１３１と第２の熱伝導層１３２とを含んでもよい。
【０１０６】
図１１に示すように、該第１の熱伝導層１３１は、表示パネル１１０の表示面から離れた側に位置する。例えば、図１１に示すように、表示パネル１１０は、基板１１１と封止層１１２とを含んでもよい。該第１の熱伝導層１３１は、基板１１１の表示面から離れた側に設けられてもよく、例えば、基板１１１の下面に設けられてもよい。該第２の熱伝導層１３２は、該第１の熱伝導層１３１の表示パネル１１０から離れた側に位置する。該第１の熱伝導層１３１の表示面に平行な方向の熱伝導率が、該第１の熱伝導層１３１の表示面に垂直な方向の熱伝導率よりも大きい。該第２の熱伝導層１３２の該表示面に垂直な方向の熱伝導率が、該第１の熱伝導層１３１の該表示面に垂直な方向の熱伝導率よりも大きい。
【０１０７】
例えば、該第１の熱伝導層１３１は熱伝導性グラファイト層を含んでもよく、該第２の熱伝導層１３２は金属層を含んでもよい。例えば、既知のプロセスによって第１の熱伝導層の熱伝導率特性を有する熱伝導性グラファイト層を製造してもよく、又は既知のプロセスによって第２の熱伝導層の熱伝導率特性を有する金属層（例えば、銅箔やステンレス鋼板など）を製造してもよい。
【０１０８】
上記実施例に係る放熱装置において、表示パネルの表示面から離れた側に第１の熱伝導層が設けられ、該第１の熱伝導層の表示パネルから離れた側に第２の熱伝導層が設けられている。該第１の熱伝導層の表示面に平行な方向の熱伝導率が、該第１の熱伝導層の該表示面に垂直な方向の熱伝導率よりも大きい。これにより、表示パネルの熱を表示面に平行な方向において比較的均一にし、特定の領域に熱が集中するのを防ぐことができ、放熱効果を高める上で有利となる。該第２の熱伝導層の該表示面に垂直な方向の熱伝導率が、該第１の熱伝導層の該表示面に垂直な方向の熱伝導率よりも大きい。これにより、表示パネルのこれらの均一に分布した熱を、表示面に垂直な方向に沿って第２の熱伝導層を介して逃すことができ、これにより、放熱効果を向上させることができる。
【０１０９】
幾つかの実施例において、該第１の熱伝導層１３１の表示面に平行な方向の熱伝導率が、該第２の熱伝導層１３２の表示面に平行な方向の熱伝導率よりも大きい。
【０１１０】
幾つかの実施例において、図１１に示すように、該第１の熱伝導層１３１は、第１の接続層１２１を介して表示パネル１１０に接続されている。該第２の熱伝導層１３２は、第２の接続層１２２を介して該第１の熱伝導層１３１に接続されている。もちろん、本開示の実施例の範囲はこれに限定されない。例えば、該第１の熱伝導層１３１は第１の接続層を介さずに表示パネル１１０に直接接続されてもよく、該第２の熱伝導層１３２も第２の接続層を介さずに該第１の熱伝導層１３１に直接接続されてもよい。
【０１１１】
本開示の幾つかの実施例によれば、表示装置がさらに提供され、該表示装置は、表示パネルと、図１１に示すように該表示パネルに用いられる放熱装置とを含んでもよい。
【０１１２】
以上、本開示の各実施例について詳細に説明した。本開示の構想を遮らないように、本分野で公知の幾つかの詳細については説明されない。当業者は、上記の説明から、本明細書に開示される技術案をどのように実施するかを完全に理解することができる。
【０１１３】
例によって本開示の幾つかの特定の実施例について詳細に説明したが、当業者であれば理解できるように、上記の例は説明するためのものであり、本開示の範囲を限定するためのものではない。本開示の範囲および精神から逸脱することなく、上記の実施例を変更し又は同等に変換することができる。本開示の範囲は、添付の特許請求の範囲に示されている。
【０１１４】
本願は、出願番号がＣＮ２０１８２０４１６８６９．８であり、出願日が２０１８年３月２７日である出願を基礎としており、その優先権を主張し、該中国出願の全ての開示内容は参照により本出願に組み込まれる。
【図１】
2021516863.tif 000003
【図２】
2021516863.tif 000004
【図３】
2021516863.tif 000005
【図４Ａ】
2021516863.tif 000006
【図４Ｂ】
2021516863.tif 000007
【図４Ｃ】
2021516863.tif 000008
【図５】
2021516863.tif 000009
【図６】
2021516863.tif 000010
【図７】
2021516863.tif 000011
【図８】
2021516863.tif 000012
【図９】
2021516863.tif 000013
【図１０】
2021516863.tif 000014
【図１１】
2021516863.tif 000015
【国際調査報告】
2021516863.tif 000016
2021516863.tif 000017
2021516863.tif 000018
2021516863.tif 000019